(57)【要約】      （修正有）【課題】人体の脊椎、脳部を刺激し、脊椎を矯正する同期ステッパー構造を提供する。【解決手段】同期ステッパー構造は、ベース１０、２つの踏板２０及び２つのダンパ部材３０を備える。ベース１０は、地面に載置されるとともに、２つの枢着装置４０を有する。枢着装置４０には、踏板２０が枢着される。踏板２０は、ベース１０に併設され、同期で各ダンパ部材３０が受けて昇降する。ダンパ部材３０は、ベース１０上と踏板２０下との間に枢着されるとともに、圧縮力及び回復力を有し、踏板２０が押下されたときの抵抗力及び踏板の回復力を有する。エアポンプにより２つのダンパ部材３０に空気が注入され、調整弁によりダンパ部材３０を制御して空気を抜く。ベース１０は、複数の高低レベル枢着孔１２を有する。【選択図】図１
0003218572.tif 000002
【実用新案登録請求の範囲】
【請求項１】
ベース、２つの踏板及び２つのダンパ部材を備えた同期ステッパー構造であって、
前記ベースは、地面に載置されるとともに、２つの枢着装置を有し、前記枢着装置には、前記踏板が枢着され、
前記踏板は、前記ベースに併設され、同期する前記ダンパ部材が受けて昇降し、
前記ダンパ部材は、前記ベース上と前記踏板下との間に枢着されるとともに、圧縮力及び回復力を有し、前記踏板が押下されたときの抵抗力及び前記踏板の回復力を提供し、
エアポンプにより前記ダンパ部材に空気が注入され、調整弁により前記ダンパ部材の空気を抜き、前記ベースは、複数の高低レベル枢着孔を有し、前記高低レベル枢着孔には、前記枢着装置が挿設され、前記高低レベル枢着孔には、高内端及び低内端が設けられるとともに、前記踏板の前端が枢着され、前記ダンパ部材が前記踏板の後端に当止され、前記ダンパ部材には、前記エアポンプにより空気が注入され、前記踏板が所定の高さまで上昇し、前記調整弁により前記ダンパ部材の空気が抜かれると、瞬時に前記踏板が低い位置まで下がることを特徴とする同期ステッパー構造。
【請求項２】
前記ベースの上部には、２つの凹溝が形成され、
前記凹溝の後端には、前記ダンパ部材が収容されるとともに枢着され、
前記ダンパ部材は、圧縮可能なエアバッグであり、
前記高低レベル枢着孔が前記凹溝の前端両側に形成されることを特徴とする請求項１に記載の同期ステッパー構造。
【請求項３】
前記ダンパ部材は、吸気孔及び排気孔を有し、
前記吸気孔は、吸気管を介して前記エアポンプと連通し、
前記調整弁は電磁弁であり、
前記排気孔は、排気管を介して前記調整弁と連通し、
前記調整弁は、ガス排出管を有することを特徴とする請求項１に記載の同期ステッパー構造。
【請求項４】
前記吸気孔及び前記排気孔内には、逆止弁がそれぞれ設けられることを特徴とする請求項３に記載の同期ステッパー構造。
【請求項５】
前記枢着装置は、高低棒及び角度調整回転棒を有し、
前記高低棒内には、軸棒が枢着され、
前記軸棒は、前記高低レベル枢着孔内に挿通され、
前記高低棒は、始端部を有し、
前記始端部は、ホールを有し、
前記踏板の底部前端には、２つの枢着板が設けられ、
前記枢着板内には、ねじ孔が形成され、
前記角度調整回転棒は、一端に回転つまみが設けられ、他端にリードスクリューが設けられ、前記リードスクリューが前記始端部の前記ホール及び前記枢着板の前記ねじ孔に挿入されて前記踏板の角度を調整することを特徴とする請求項１に記載の同期ステッパー構造。
【請求項６】
前記ベース前には、立柱及びハンドルが設けられ、
前記立柱上には、表示パネルと、前記表示パネルに内蔵された回路基板とが設けられることを特徴とする請求項１に記載の同期ステッパー構造。
【考案の詳細な説明】
【技術分野】
【０００１】
本考案は、同期ステッパー構造に関し、特に、エアポンプにより２つのダンパ部材に気体を注入して上昇させて２つの踏板を嵩上げし、調整弁により制御して２つのダンパ部材の気体を抜いて低くすると、ユーザの体が瞬時に高い所から低い所へ落下し、人体の脊椎、脳部を刺激し、脊椎を矯正する同期ステッパー構造に関する。
【背景技術】
【０００２】
従来のステッパーは、低負荷の運動器具であり、室内でトレーニングすることができる小型の運動器具である。従来の同期ステッパー構造は、ベースと、枢着された２つの踏板と、２つの踏板下に設けられた旋回カムと、を含み、旋回カムが踏板底部に当止めされ、ユーザが踏板上に立つと、瞬時に高い所から低い所へ落下し、人体の脊椎、脳を刺激したり、脊椎を矯正したりした。旋回カムは、モータにより履帯及び伝動車輪を駆動し、伝動車輪によりカムを旋回させる。そのため、カムを旋回し続けて２つの踏板を同期で高めの場所へ嵩上げした後、瞬時に低めの場所まで落下されてこの動作を繰り返すことができる。人体が高低落差の落下を受けると、脊椎の接合箇所が小さな衝撃を受けて刺激され、脊椎を矯正して成長、復元を都合よく行うことができる。
【０００３】
しかし従来の同期ステッパーは、モータにより履帯及び伝動車輪を駆動してカムを旋回させるため、履帯がへたってしまったり、カム及び踏板の底部が磨耗したりする問題があった。特に体重が重たい人が使用するほど損耗も大きくなり、故障したり使用寿命が短くなったりする問題があった。
【考案の概要】
【考案が解決しようとする課題】
【０００４】
本考案の主な目的は、エアポンプにより２つのダンパ部材に気体を注入して所定の高さまで上昇させ、２つの踏板を嵩上げし、調整弁により制御して２つのダンパ部材の気体を抜いて低くすると、ユーザの体が瞬時に高い所から低い所へ落下し、人体の脊椎、脳部を刺激し、脊椎を矯正する同期ステッパー構造を提供することにある。
【課題を解決するための手段】
【０００５】
上記課題を解決するために、本考案の第１の形態によれば、ベース、２つの踏板及び２つのダンパ部材を備えた同期ステッパー構造であって、前記ベースは、地面に載置されるとともに、２つの枢着装置を有し、前記枢着装置には、踏板が枢着され、前記踏板は、前記ベースに併設され、同期で各前記ダンパ部材が受けて昇降し、前記ダンパ部材は、前記ベース上と前記踏板下との間に枢着されるとともに、圧縮力及び回復力を有し、前記踏板が押下されたときの抵抗力及び踏板の回復力を提供し、エアポンプにより２つの前記ダンパ部材に空気が注入され、調整弁により前記ダンパ部材を制御して空気を抜き、前記ベースは、複数の高低レベル枢着孔を有し、前記高低レベル枢着孔には、前記枢着装置が挿設され、前記高低レベル枢着孔には、高内端及び低内端が設けられるとともに、前記踏板の前端が枢着され、前記ダンパ部材が前記踏板の後端に当止され、２つの前記ダンパ部材には、エアポンプにより空気が注入され、前記踏板が所定の高さまで上昇し、前記調整弁により前記ダンパ部材の空気が抜かれると、瞬時に前記踏板が低い位置まで下がることを特徴とする同期ステッパー構造が提供される。
【考案の効果】
【０００６】
本考案の同期ステッパー構造は、エアポンプにより２つのダンパ部材に気体を注入して所定の高さまで上昇させ、２つの踏板を嵩上げし、調整弁により制御して２つのダンパ部材の気体を抜いて低くすると、ユーザの体が瞬時に高い所から低い所へ落下し、人体の脊椎、脳部を刺激する。
【図面の簡単な説明】
【０００７】
【図１】図１は、本考案の一実施形態に係る同期ステッパー構造を示す分解斜視図。
【図２】図２は、本考案の一実施形態に係る同期ステッパー構造を示す斜視図。
【図３】図３は、本考案の一実施形態に係る同期ステッパー構造の踏板を上昇させたときの状態を示す側面図。
【図４】図４は、本考案の一実施形態に係る同期ステッパー構造の踏板を降下させたときの状態を示す側面図。
【図５】図５は、本考案の一実施形態に係る同期ステッパー構造を示す正面図。
【図６】図６は、本考案の一実施形態に係る同期ステッパー構造の踏板の角度を調整する状態を示す正面図。
【図７】図７は、本考案の一実施形態に係る同期ステッパー構造を示す断面図。
【図８】図８は、本考案の一実施形態に係る同期ステッパー構造に接続したエアポンプ及び調整弁を示す正面図。
【考案を実施するための形態】
【０００８】
図１〜図３を参照する。図１〜図３に示すように、本考案の一実施形態に係る同期ステッパー構造は、少なくともベース１０と、２つの踏板２０と、２つのダンパ部材３０と、から構成されてなる。ベース１０は、地面に載置され、上部に２つの凹溝１１が形成されている。凹溝１１の後端には、２つのダンパ部材３０が収容されるとともに枢着され、高低レベル枢着孔１２が凹溝１１の前端両側に形成される。２つの踏板２０は、ベース１０に併設される。２つの枢着装置４０は、ベース１０の前部に接続され、２つの踏板２０が枢着される。２つのダンパ部材３０は、圧縮回復力を有する空気袋である。ダンパ部材３０は、踏板２０の後端に当止される。２つの踏板２０は、同期で各ダンパ部材３０を受けて昇降し、２つのダンパ部材３０は、圧縮力及び回復力を有し、踏板２０が押下されるときの抵抗力及び踏板の回復力を提供し、エアポンプ５０（図３及び図８に示す）により２つのダンパ部材３０に空気を注入し、調整弁６０によりダンパ部材３０を制御して空気を抜く。ダンパ部材３０は、吸気孔３１及び排気孔３２を有する。吸気孔３１内には、逆止弁３１１が設けられる（図７及び図８に示す）。排気孔３２内には、逆止弁３２１が設けられる。吸気孔３１は、吸気管５１を介してエアポンプ５０と連通する。調整弁６０は電磁弁である。排気孔３２は、排気管６１を介して調整弁６０と連通する。調整弁６０は、ガス排出管６２を有する。枢着装置４０は、角度調整回転棒４１及び高低棒４２を有する。高低棒４２内には、軸棒４２１が枢着される。軸棒４２１は、高低レベル枢着孔１２内に挿通される。高低棒４２は、始端部４３を有する。始端部４３は、ホール４３１を有する。踏板２０の底部前端には、２つの枢着板２１が設けられる。枢着板２１内には、ねじ孔２１１が形成される。角度調整回転棒４１は、一端に回転つまみ４１１が設けられ、他端にリードスクリュー４１２が設けられ、始端部４３のホール４３１及び枢着板２１のねじ孔２１１にリードスクリュー４１２が挿入され、踏板２０の角度を調整する。高低レベル枢着孔１２には、高内端１２１及び低内端１２２が設けられる。ベース１０前には、立柱１３及びハンドル１４が設けられる。立柱１３上には、回路基板が内蔵された表示パネル１５が設けられる（図示せず）。
【０００９】
上述した構造改良により、本考案の同期ステッパー構造は、ユーザが両足で２つの踏板２０を踏み込み、エアポンプ５０をオンすると同時に２つのダンパ部材３０に同時に気体を注入し、ダンパ部材３０が空気袋であるため、圧縮回復力を有し、僅かに気体注入した後、ダンパ部材３０を所定の高さになるまで充満させると（図３を参照する）、２つの踏板２０が突き上げられ、軸棒４２１もダンパ部材３０により突き上げられて高低レベル枢着孔１２の高内端１２１に位置すると、それに伴い人体も僅かな高さ嵩上げされ、直ちに調整弁６０をオンし（エアポンプ５０のオン又は調整弁６０のオンは、マイコンで制御される）、ダンパ部材３０の空気漏れを制御し、ダンパ部材３０から僅かに空気が漏れると（図４を参照する）、人体の重量により押下され、軸棒４２１が高低レベル枢着孔１２の低内端１２２に位置し、それに伴い人体が同期で小さな距離落下する。上述したような動作を繰り返すと、エアポンプ５０により２つのダンパ部材３０に気体が充填され、踏板２０を所定の高さまで上げてから、調整弁６０により空気を抜くとダンパ部材３０が瞬時に踏板２０を低い位置まで落下し、人体が継続的に所定の小さな高さまで上昇してから自由落下するため、人体が高低落差の落下を受け、脊椎の接合部が小さな衝撃の刺激を受け、脊椎を矯正して成長復元し、人体の脳部に衝撃が加わり、ホルモンを分泌し、身体のバランスを取り、体内の状態を安定させることができる。
【００１０】
図５及び図６を参照する。図５及び図６に示すように、枢着装置４０の角度調整回転棒４１により踏板２０の傾斜角度又は水平角度を調整し、ユーザ（例えば、大人及び子ども、壮年及び老人、婦女及び男性、体重が重い人及び軽い人など）に応じて、異なる角度で力を受けるようにしてもよい。
【符号の説明】
【００１１】
１０  ベース
１１  凹溝
１２  高低レベル枢着孔
１３  立柱
１４  ハンドル
１５  表示パネル
２０  踏板
２１  枢着板
３０  ダンパ部材
３１  吸気孔
３２  排気孔
４０  枢着装置
４１  角度調整回転棒
４２  高低棒
４３  始端部
５０  エアポンプ
５１  吸気管
６０  調整弁
６１  排気管
６２  ガス排出管
１２１  高内端
１２２  低内端
２１１  ねじ孔
３１１  逆止弁
３２１  逆止弁
４１１  回転つまみ
４１２  リードスクリュー
４２１  軸棒
４３１  ホール
【図１】
0003218572.tif 000003
【図２】
0003218572.tif 000004
【図３】
0003218572.tif 000005
【図４】
0003218572.tif 000006
【図５】
0003218572.tif 000007
【図６】
0003218572.tif 000008
【図７】
0003218572.tif 000009
【図８】
0003218572.tif 000010